(57)【要約】【課題】指示入力部（リモコン）から入力可能な管理機能を、管理目的に応じた管理機能のみに制限することによって、操作の簡略化を可能とし、他社の販売コラムを自社の販売コラムに変更する等の悪質な操作や誤操作を防止する。【解決手段】自動販売機に設けられている複数の管理機能の何れかを選択的に実行させるための指示入力部と、前記指示入力部からの指示信号に基づいて、前記複数の管理機能のうち何れかの管理機能を実行させる制御部と、を有する自動販売機において、複数の管理機能に対応した複数の管理コードの何れかが記憶された外部の記憶媒体から、記憶された前記管理コードを読み取って判別する判別部と、前記判別部による判別結果に基づいて、前記指示入力部を、前記記憶された管理コードに対応する前記管理機能の実行のみを指示入力可能とする入力設定部と、を備えたことを特徴とする。【選択図】図３
2005284586.tif 000002
【特許請求の範囲】
【請求項１】
自動販売機に設けられている複数の管理機能の何れかを選択的に実行させるための指示入力部と、前記指示入力部からの指示信号に基づいて、前記複数の管理機能のうち何れかの管理機能を実行させる制御部と、を有する自動販売機において、
複数の管理機能に対応した複数の管理コードの何れかが記憶された外部の記憶媒体から、記憶された前記管理コードを読み取って判別する判別部と、
前記判別部による判別結果に基づいて、前記指示入力部を、前記記憶された管理コードに対応する前記管理機能の実行のみを指示入力可能とする入力設定部と、
を備えたことを特徴とする自動販売機。
【請求項２】
商品を補充する際に開放する扉の開閉を検出する扉開閉検出部、を有し、
前記入力設定部は、前記判別部の判別結果と、前記扉が開放したときの前記扉開閉検出部の検出結果とに基づいて、前記指示入力部を、前記記憶された管理コードに対応する前記管理機能の実行のみを指示入力可能とする、ことを特徴とする請求項１に記載の自動販売機。
【請求項３】
前記指示入力部は、前記扉の閉塞される側に設けられることを特徴とする請求項２に記載の自動販売機。
【請求項４】
前記記憶された管理コードに対応する前記管理機能の内容を表示する表示部、を有することを特徴とする請求項１乃至３の何れかに記載の自動販売機。
【請求項５】
前記複数の管理機能を実行するためのプログラムが記憶された第１メモリと、
前記複数の管理コードごとに前記複数の管理機能の情報が対応付けられて記憶された第２メモリと、を有し、
前記指示入力部が前記記憶された管理コードに対応する前記管理機能の実行のみを指示入力可能となった場合、
前記制御部は、前記指示入力部からの指示信号に基づいて、前記第２メモリに記憶されている前記管理コードに対応する前記管理機能の情報を参照し、前記管理機能の情報の参照結果に基づいて、前記第１メモリに記憶されているプログラムを実行すること、を特徴とする請求項１乃至３の何れかに記載の自動販売機。
【請求項６】
前記複数の管理機能を実行するためのプログラムが記憶された第１メモリと、
前記複数の管理コードごとに前記複数の管理機能の情報が対応付けられて記憶された第２メモリと、
前記複数の管理機能による実管理内容が記憶された第３メモリと、を有し、
前記指示入力部が前記記憶された管理コードに対応する前記管理機能の実行のみを指示入力可能となった場合、
前記制御部は、
前記指示入力部からの指示信号に基づいて、前記第２メモリに記憶されている前記管理コードに対応する前記管理機能の情報を参照し、
前記管理機能の情報の参照結果に基づいて、前記第１メモリに記憶されているプログラムを実行し、
前記プログラムの実行結果に基づいて、前記第３メモリに記憶されている前記実管理内容を前記表示部に表示させる、
ことを特徴とする請求項４に記載の自動販売機。
【請求項７】
前記指示入力部への所定入力に基づいて、前記第２メモリに前記複数の管理コードごとに対応付けられて記憶されている前記管理機能の情報を変更可能とした、ことを特徴とする請求項５または６に記載の自動販売機。
【発明の詳細な説明】
【技術分野】
【０００１】
本発明は、自動販売機に関する。
【背景技術】
【０００２】
自動販売機には、各種機能の設定や販売情報の確認などを行うためのリモコンが例えば開閉扉の裏面側に設けられている。このリモコンについては、自動販売機メーカー、販売商品メーカー、自動販売機が設置される場所の店主などが操作する。自動販売機メーカーにおいては、商品選択釦とコラムとの対応付け、商品価格設定、故障内容確認、故障解除、などのメンテナンスを行うためにリモコンを操作する。また、販売商品メーカーにおいては、時間帯別売上情報や商品銘柄別売上情報の確認など今後の販売戦略に役立つマーケティング情報を得るためにリモコンを操作する。更に、店主においては、総売上金額やコラム別売上金額の確認など自動販売機自体の売上に関する情報を得るためにリモコンを操作する。つまり、リモコンの各操作者によって操作目的が異なっている。従って、自動販売機メーカーとしては、自動販売機を製造する際、リモコンの機能として、自動販売機メーカー、販売商品メーカー、店主が操作したい項目に該当する機能を集約して設けていた。
【特許文献１】特開平１０−４９２８２号公報
【発明の開示】
【発明が解決しようとする課題】
【０００３】
しかしながら、リモコンに対し、自動販売機メーカー、販売商品メーカー、店主などの操作項目が集約されていて操作項目数が多いため、操作者にとっては操作が非常に煩雑であった。特に、販売商品メーカーや店主によっては、必要とする操作項目は限られており、必要とする操作項目を実行するために操作マニュアルをわざわざ読まなければならなかったり、自動販売機メーカーに電話で操作内容を確認したりしなければならなかったりする場合が多々あり、操作が煩雑となり操作項目を実行し終えるまでに相当の時間がかかる問題があった。
【０００４】
また、その反対に、例えば販売商品メーカーの販売員がリモコンの操作に詳しい場合、この販売員が自動販売機の設置されている場所の店主から当該自動販売機の鍵を借りて、当該自動販売機の開閉扉を開放し、当該開閉扉の裏面に設けられているリモコンを操作することも可能であった。この場合、販売員によっては、リモコンを操作することによって他社商品のコラム数を減らして自社商品のコラム数を増やすことも可能であった。これも、リモコンに操作項目が集約されていることに起因する問題である。
【０００５】
更に、自動販売機メーカー、販売商品メーカー、店主がそれぞれ他の者に関するリモコンの操作を知らない場合、誤操作する可能性がある。この場合、自動販売機の内部設定が本来と異なる設定に変更されてしまったり（例えば加温すべきコラムを冷却してしまったり、商品販売釦とコラムとの対応付を異なる設定にしてしまったりなどの問題）、売上情報がクリアされてしまうといった問題があった。
【０００６】
そこで、本発明は、指示入力部（リモコン）から入力可能な管理機能を、管理目的に応じた管理機能のみに制限することによって、操作の簡略化を可能とし、他社の販売コラムを自社の販売コラムに変更する等の悪質な操作や誤操作を防止できる、自動販売機を提供することを目的とする。
【課題を解決するための手段】
【０００７】
前記課題を解決するための主たる発明は、自動販売機に設けられている複数の管理機能の何れかを選択的に実行させるための指示入力部と、前記指示入力部からの指示信号に基づいて、前記複数の管理機能のうち何れかの管理機能を実行させる制御部と、を有する自動販売機において、複数の管理機能に対応した複数の管理コードの何れかが記憶された外部の記憶媒体から、記憶された前記管理コードを読み取って判別する判別部と、前記判別部による判別結果に基づいて、前記指示入力部を、前記記憶された管理コードに対応する前記管理機能の実行のみを指示入力可能とする入力設定部と、を備えたことを特徴とする。この自動販売機によれば、指示入力部の操作の簡略化が可能となり、悪質な操作や誤操作の防止も可能となる。特に、携行性に優れた記憶媒体に記憶された管理コードを利用することによって、指示入力部を管理目的に応じた管理機能に確実に設定することが可能となる。
【０００８】
また、かかる自動販売機において、商品を補充する際に開放する扉の開閉を検出する扉開閉検出部、を有し、前記入力設定部は、前記判別部の判別結果と、前記扉が開放したときの前記扉開閉検出部の検出結果とに基づいて、前記指示入力部を、前記記憶された管理コードに対応する前記管理機能の実行のみを指示入力可能とする、ことを特徴とする。この場合、前記指示入力部は、前記扉の閉塞される側に設けられることとする。この自動販売機によれば、開閉扉が開放されない限り、指示入力部の管理機能が働かず、更には管理コードに対応する管理機能が指示入力部に設定されないため、管理機能を実行する際のセキュリティが向上する。
【０００９】
また、かかる自動販売機において、前記記憶された管理コードに対応する前記管理機能の内容を表示する表示部、を有することを特徴とする。この自動販売機によれば、管理機能を表示部にて確認しながら実行することが可能となる。
【００１０】
また、かかる自動販売機において、前記複数の管理機能を実行するためのプログラムが記憶された第１メモリと、前記複数の管理コードごとに前記複数の管理機能の情報が対応付けられて記憶された第２メモリと、を有し、前記指示入力部が前記記憶された管理コードに対応する前記管理機能の実行のみを指示入力可能となった場合、前記制御部は、前記指示入力部からの指示信号に基づいて、前記第２メモリに記憶されている前記管理コードに対応する前記管理機能の情報を参照し、前記管理機能の情報の参照結果に基づいて、前記第１メモリに記憶されているプログラムを実行すること、を特徴とする。この自動販売機によれば、第２メモリで参照される管理機能の範囲内で管理機能を実行するため、管理コードに対応する管理機能を確実に実行することが可能となる。
【００１１】
また、前記複数の管理機能を実行するためのプログラムが記憶された第１メモリと、前記複数の管理コードごとに前記複数の管理機能の情報が対応付けられて記憶された第２メモリと、前記複数の管理機能による実管理内容が記憶された第３メモリと、を有し、前記指示入力部が前記記憶された管理コードに対応する前記管理機能の実行のみを指示入力可能となった場合、前記制御部は、前記指示入力部からの指示信号に基づいて、前記第２メモリに記憶されている前記管理コードに対応する前記管理機能の情報を参照し、前記管理機能の情報の参照結果に基づいて、前記第１メモリに記憶されているプログラムを実行し、前記プログラムの実行結果に基づいて、前記第３メモリに記憶されている前記実管理内容を前記表示部に表示させる、ことを特徴とする。この自動販売機によれば、第２メモリで参照される管理機能の範囲内で管理機能を実行するため、管理コードに対応する管理機能を確実に実行することができ、更には、この管理機能に関する実管理情報を表示部に確実に表示させることが可能となる。
【００１２】
更に、かかる自動販売機において、前記指示入力部への所定入力に基づいて、前記第２メモリに前記複数の管理コードごとに対応付けられて記憶されている前記管理機能の情報を変更可能とした、ことを特徴とする。この自動販売機によれば、各管理コードに対応する管理機能の管理項目数や管理項目表示順序などを、自動販売機の仕様に応じて適宜変更することが可能となる。
【発明の効果】
【００１３】
本発明によれば、指示入力部の操作の簡略化が可能となり、悪質な操作や誤操作の防止も可能となる。
【発明を実施するための最良の形態】
【００１４】
本明細書および添付図面の記載により、少なくとも以下の事項が明らかとなる。
【００１５】
＝＝＝自動販売機の前面構成＝＝＝
図１を参照しつつ、本発明にかかる自動販売機の前面構成について説明する。図１は、本発明にかかる自動販売機の前面構成例を示す正面図である。尚、本実施の形態においては、自動販売機は、成人用商品（例えば煙草、酒）を販売するものとし、商品を購入しようとする利用者が成人であるかどうかを識別するための機能を有することとする。
【００１６】
図１において、前面に設けられる開閉扉２（扉）は、自動販売機の左右側面端の何れかを支軸として開閉するものであり、商品選択釦とコラムとを対応付けるコラム設定、缶飲料補充等を行うときは解錠して開き、通常販売を行うときは施錠して閉じておくものである。パネル４は、透明な樹脂板であり、内部に陳列される複数種類の商品サンプル６を確認するためのものである。つまり、利用者は、パネル４を通して複数種類の商品サンプル６を見渡すことにより、購入したい商品を選択できる。硬貨投入口８は、利用者が硬貨を投入する部分であり、投入硬貨は自動販売機内部の硬貨識別装置に供給される。紙幣挿入口１０は、利用者が紙幣を挿入する部分であり、挿入紙幣は自動販売機内部の紙幣識別装置に供給される。表示器１２は、通常販売が可能な稼働状態である場合、利用者による投入硬貨金額、挿入紙幣金額等を表示するものである。ここで、表示部１２は、開閉扉２の背面側、つまり、開閉扉２の閉塞される側で着脱自在となるリモコン１４（指示入力部）の操作に応じて、コラム設定を行う場合などにコラム番号を表示してもよい。なお、表示器１２は、有機ＥＬ、ＬＣＤ、ＬＥＤ等の表示素子を用いて構成することが可能である。商品選択釦１６は、販売可ランプ１８および売り切れランプ２０を内蔵し、商品サンプル６それぞれに対応してパネル４の前面側に設けられるものである。販売可ランプ１８は、利用者が少なくとも１個の商品を購入できる硬貨投入または紙幣挿入を行うと、自動販売機内部のコラムに商品が収容されている場合のみ、この商品に対応するものが点灯する。売り切れランプ２０は、自動販売機内部の所定コラムが空になると、この商品に対応するものが常時点灯する。表示板２２は、商品選択釦１６それぞれに対応してパネル４の前面側または背面側に設けられ、商品に関する情報（例えば価格）を表示するものである。尚、表示板２２は、例えば樹脂パネルである。販売中ランプ２４は、自動販売機が正常に稼働しているときに点灯するものである。販売中止ランプ２６は、全商品が売り切れとなったとき、点灯するものである。釣銭切れランプ２８は、硬貨識別装置内部の釣銭用硬貨の合計金額が一定金額以下のときに点灯するものである。販売可ランプ１８が点灯している商品選択釦１６を押下すると、この商品サンプル６に対応する商品が商品取出口３０まで搬出される。返却レバー３２は、投入硬貨を返却口３４から返却したり、投入硬貨または挿入紙幣から商品購入金額を差し引いた釣銭を返却口３４から返却したりするためのものである。
【００１７】
また、自動販売機には、利用者が成人であるかどうかを識別する成人識別部が設けられている。この成人識別部は、後述する各利用者と１対１に対応する利用者コードが予め記憶されている記憶媒体を使用することによって、当該利用者が成人であるかどうかを識別し、成人であると判別したときに商品の販売を許可させるものである。尚、成人識別部は、後述するカード情報識別部１１４および制御部１０４によって識別動作が実行されるものとする。また、記憶媒体としては、例えば非接触でデータの送受信が可能なカード媒体（非接触カード）が使用されることとする。更に、成人識別部の機能として、主として成人識別情報を表示する成人識別表示部３６が設けられる。この成人識別表示部３６には、販売待機状態であることを“待機”として告知する点灯部１２ａ、利用者が成人であると識別された場合に販売可能状態であることを“販売ＯＫ”として告知する点灯部１２ｂ、利用者が成人ではないと識別された場合に販売不可能であることを“販売ＮＧ”として告知する点灯部１２ｃ、自動販売機の販売機能が故障したことを“故障”として告知する点灯部１２ｄを有し、必要に応じて適宜の点灯部１２ａ乃至１２ｄが点灯（或いは点滅）される。この成人識別表示部３６は、非接触カードとのデータ送受信を行うインターフェースも兼ねている。
【００１８】
＝＝＝記憶媒体の構成＝＝＝
図２を参照しつつ、本実施の形態で使用される記憶媒体の構成について説明する。図２は、本発明にかかる自動販売機に使用される記憶媒体の記憶構成例を示す図である。尚、本実施の形態では、記憶媒体として非接触カードを使用することとするが、これに限定されるものではない。自動販売機内部に取り込んで情報を取り込む所謂接触型の磁気カードであってもよいし、光ディスク媒体であってもよい。
【００１９】
成人用商品を販売する自動販売機の場合、利用者が成人であるかどうかを自動販売機自体が識別できることが望ましい。そこで、図１の自動販売機は、外部からの成人識別情報を取得して商品の販売の可否を判別することとなる。そのための手段として、成人識別情報が記憶された非接触カード１０２を使用する。
【００２０】
非接触カード１０２の発行は、自動販売機で販売される成人用商品の製造業者が一般的に行う。具体的には、非接触カード１０２の発行を希望する利用者は、利用者自身がその時点において成人であることを証明する情報を、製造業者のところまで出向いて提供するか、或いは、当該情報を郵送や電子メール等で製造業者宛に送る。製造業者は、利用者が成人であるかどうかを取得した情報を基に確認し、利用者が成人である場合には、当該利用者と１対１に対応する成人識別情報を非接触カードに記憶させ、この非接触カード１０２を利用者に発行する。これにより、利用者は、製造業者によって当該利用者が成人であることを証明され、この非接触カード１０２を使用して商品を自動販売機から購入することが可能となる。
【００２１】
ところで、リモコン１４は、自動販売機メーカー、販売商品メーカー、店主などが兼用して操作するものであるため、これらの自動販売機メーカー、販売商品メーカー、店主などが操作する操作項目が集約されて設けられている。そのため、リモコン１４の操作が煩雑になったり、悪質な操作や誤操作なども発生し得る。そこで、リモコン１４の操作項目を、自動販売機メーカー、販売商品メーカー、店主が操作する際に、自動販売機メーカー、販売商品メーカー、店主それぞれに必要な管理機能項目に設定し、それ以外の操作項目を操作できないようにすることが望ましい。
【００２２】
そこで、自動販売機が非接触カード１０２から成人識別情報を取得する構成を有していることに着目し、この非接触カード１０２を、自動販売機メーカー、販売商品メーカー、店主ごとにリモコン１４の操作項目を設定するためにも使用することとする。
【００２３】
非接触カード１０２は、カード種別の情報と、個人ＩＤの情報とが記憶されるものである。ここで、カード種別とは、「一般カード」「テストカード」「管理カード（店主、販売商品メーカー１、２、・・・、自動販売機メーカー）」「その他」の４種類がある。個人ＩＤとは、非接触カード１０２の所有者に１対１に対応する複数桁のコード情報であり、製造業者側でカード種別の情報とともに非接触カード１０２に記憶するものである。尚、非接触カード１０２が電子マネーの価値情報を記憶することとしてもよい。
【００２４】
ここで、カード種別について更に詳しく説明する。  
「一般カード」とは、成人であることの確認を受けた一般の利用者用のカードであることを意味する。非接触カード１０２を「一般カード」として使用する場合、成人識別情報として、例えば０００１〜７０００の何れかの番号が非接触カード１０２に記憶される。
【００２５】
「テストカード」とは、例えば販売商品メーカーの担当者がテスト販売を行うためのカードであることを意味する。非接触カード１０２を「テストカード」として使用する場合、識別情報として、例えば７００１〜８０００の何れかの番号が非接触カード１０２に記憶される。
【００２６】
店主用の「管理カード」とは、店主が自動販売機の売上金額などを確認するためのカードであることを意味する。非接触カード１０２を店主用の「管理カード」として使用する場合、識別情報として、例えば８００１〜８００９の何れかの番号が非接触カード１０２に記憶される。
【００２７】
販売商品メーカー用の「管理カード」とは、販売商品メーカーが自動販売機の売上金額、各種設定情報などを確認するためのカードであることを意味する。非接触カード１０２を販売商品メーカー用の「管理カード」として使用する場合、識別情報として、販売商品メーカー１、２・・・毎に例えば８０１０〜８０１９、８０２０〜８０２９・・・の何れかの番号が非接触カード１０２に記憶される。
【００２８】
自動販売機メーカー用の「管理カード」とは、自動販売機メーカーが自動販売機の各種情報、各種設定、故障などを確認するためのカードであることを意味する。非接触カード１０２を自動販売機メーカー用の「管理カード」として使用する場合、識別情報として、例えば８９０１〜９０００の何れかの番号が記憶される。
【００２９】
尚、「その他」は、予備として識別情報９００１〜９９９９を確保しており、この識別情報を「一般カード」「テストカード」「管理カード」に割り当てることも可能である。また、識別情報は、数字だけに限定されるものではなく、記号を数字と適宜混ぜ合わせて作成することも可能である。
【００３０】
＝＝＝自動販売機の制御構成＝＝＝
図３を参照しつつ、本発明にかかる自動販売機の制御構成について説明する。図３は、本発明にかかる自動販売機の制御構成を示すブロック図である。
【００３１】
制御部１０４は、自動販売機の販売動作、管理動作などを制御するものであり、例えばマイクロコンピュータで構成される。ＲＯＭ１０６（第１メモリ）は、自動販売機の販売動作、管理動作などを制御するためのプログラムデータや、必要に応じてテーブルデータが格納されたものである。制御部１０４は、ＲＯＭ１０６から読み出されたプログラムデータの解読結果に従って、上記の販売動作や管理動作を実行する。尚、ＲＯＭ１０６としては、プログラムデータを製造工程で焼き付け固定するマスクＲＯＭであってもよく、また、データを紫外線消去可能であるとともにデータの書き込み読み出しが可能なＥＰＲＯＭであってもよく、更には、データを電気消去可能であるとともにデータの書き込み読み出しが可能なＥＥＰＲＯＭであってもよく、何れかの不揮発性メモリを適用することができる。ＲＡＭ１０８（第２メモリ、第３メモリ）は、制御部１０４による演算結果となるデータが書き込まれるものである。尚、ＲＡＭ１０８としては、ＳＲＡＭ等の揮発性メモリをバックアップ電源とともに適用したり、ＥＥＰＲＯＭを適用することができる。
【００３２】
硬貨識別装置１１０は、硬貨投入口８から投入された硬貨の金種、正偽等の判別、金種別枚数の計算、金庫への余剰硬貨の収容、釣銭払い出し等を行わせるものである。紙幣識別装置１１２は、紙幣挿入口１０から挿入された紙幣の金種、正偽等の判別、金種別枚数の計算、釣札払い出し等を行わせるものである。硬貨識別装置１１０および紙幣識別装置１１２は、硬貨投入および紙幣挿入が行われるその都度、処理動作を実行する。なお、商品の決済方法は、上記の硬貨および紙幣に限定されるものではない。例えば、様々なカードや携帯端末等を用いて電子決済を行うこととしてもよい。
【００３３】
カード情報識別部１１４は、非接触カード１０２から受信したカード識別情報と個人ＩＤの情報を識別し、その識別結果を制御部１０４に供給するものである。
【００３４】
扉スイッチ１１６は、開閉扉２が開放したときに例えばオンするものであり、開閉扉２の背面側に設けられている。開閉扉２が閉塞された状態では、扉スイッチ１１６は自動販売機本体側のフレーム等に当接して例えばオフする。タイマ１１８は、扉スイッチ１１６がオンしている期間を計時するものである。
【００３５】
ここで、ＲＯＭ１０６には、図４に示す売上１、２、３、４・・・に関する売上情報、設定１、２、３、４・・・に関する設定情報、点検１、２、３・・・に関する点検情報の内容をリモコン１４の表示画面に表示させるためのプログラムデータが予め格納されている。また、ＲＡＭ１０８には、図５に示すように、販売商品メーカー用の管理項目、店主用の管理項目、自動販売機メーカー用の管理項目が、それぞれ管理項目の種類やリモコン１４への表示順序を示すテーブルデータとして、予め書き込まれている。
【００３６】
尚、カード情報識別部１１４と制御部１０４は、入力設定部を構成する。
【００３７】
＝＝＝自動販売機の通常販売動作＝＝＝
以下、図１乃至図３を参照しつつ、自動販売機が商品を販売する動作について説明する。尚、利用者は、成人識別情報として０００１〜７０００の何れかの番号と、当該利用者を特定する個人ＩＤが記憶された「一般カード」としての非接触カード１０２を有していることとする。
【００３８】
先ず、利用者が非接触カード１０２を自動販売機の成人識別表示部３６の前でかざす。このとき、非接触カード１０２に記憶されている成人識別情報と個人ＩＤがカード情報識別部１１４に読み取られ、カード情報識別部１１４から制御部１０４へ、当該利用者が成人であることを示す信号が供給される。これにより、成人識別表示部３６において「販売ＯＫ」を示す点灯部１２ｂが点灯する。また、硬貨識別装置１１０および紙幣識別装置１１２は、それぞれ投入硬貨や挿入紙幣を識別可能な状態となる。
【００３９】
そして、利用者が商品を購入可能な金額の硬貨投入や紙幣挿入を行うと、硬貨識別装置１１０、紙幣識別装置１１２による識別結果に基づいて、商品を選択可能な状態となる。つまり、購入可能な商品に対応する商品選択釦１６内の販売可ランプ１８が点灯する。利用者が購入を希望する商品に対応する商品選択釦１６を押下すると、商品が商品取出口３０へ搬出されることとなる。商品搬出後、一定時間を経過すると、自動販売機は再び非接触カード１０２がかざされるのを待つ待機状態となり、成人識別表示部３６における「待機」を示す点灯部１２ａが点灯する。つまり、商品が、未成年など、非接触カード１０２を所有していない人に販売されることが防止される。
【００４０】
＝＝＝リモコンの管理項目設定動作＝＝＝
図１、図２、図３、図４、図５、図６、図７、図８を参照しつつ、本発明の自動販売機におけるリモコンの管理項目設定動作について説明する。図６は、リモコンの表示画面に表示される管理項目の種類と順番の一例を示す図である。図７は、リモコンの一構成例を示す図である。図８は、本発明の自動販売機におけるリモコンの管理項目設定動作を示すフローチャートである。尚、特に断らない限り、図８のフローチャートは制御部１０４を主体として実行されるものとする。また、図８のフローチャートにおいて、説明の便宜上、テストカードの判別は省略することとする。更に、管理カードは例えば店主用のものとして説明する。
【００４１】
先ず、「待機」を示す点灯部１２ａが成人識別表示部３６において点灯している状態（Ｓ２００）において、非接触カード１０２が成人識別表示部３６の前面にかざされた場合、非接触カード１０２が「一般カード」であるかどうかを判別する。つまり、制御部１０４は、カード情報識別部１１４に対して非接触カード１０２から読み出された識別情報、個人ＩＤの識別動作を指示する。そして、識別情報が０００１〜７０００の何れかであり、個人ＩＤが正規の情報であるかどうかを識別させる（Ｓ２０２）。カード情報識別部１１４が非接触カード１０２を「一般カード」と識別し、この識別結果を制御部１０４が受信すると（Ｓ２０２：ＹＥＳ）、上記の通常販売動作を実行させる（Ｓ２０４）。一方、カード情報識別部１１４が非接触カード１０２を「一般カード」と識別しなかった場合（Ｓ２０２：ＮＯ）、今度は「管理カード」であるかどうかを識別させる。つまり、識別情報が８００１〜９０００の何れかであり、個人ＩＤが正規の情報であるかどうかを識別させる（Ｓ２０６）。カード情報識別部１１４が非接触カード１０２を「管理カード」とも識別しなかった場合（Ｓ２０６：ＮＯ）、利用者による非接触カード１０２のかざしエラーとして（Ｓ２０８）待機状態に戻り、上記のステップＳ２００から再度実行することとなる。
【００４２】
一方、カード情報識別部１１４が非接触カード１０２を「管理カード」と識別し、特に店主用の「管理カード」と識別し、この識別結果を制御部１０４が受信すると（Ｓ２０６：ＹＥＳ）、タイマ１１８が制御部１０４からの計時開始信号を受けて計時を開始する（Ｓ２１０）。
【００４３】
その後、制御部１０４では、開閉扉２が開放されているかどうかを判別する。具体的には、開閉扉２の開放に伴って扉スイッチ１１６がオンしているかどうかを判別する（Ｓ２１２）。扉スイッチ１１６がオンしていないものと判別した場合（Ｓ２１２：ＮＯ）、タイマ１１８が予め定められた一定時間（例えば１分）を計時したかどうかを判別する（Ｓ２１４）。制御部１０４による扉スイッチ２１２がオンしているかどうかの判別は、タイマ１１８が一定時間を計時するまで繰り返される（Ｓ２１４：ＮＯ）。もし、タイマ１１８が一定時間を計時した場合（Ｓ２１４：ＹＥＳ）、タイマをクリアし（Ｓ２１６）、上記のステップＳ２００から再度実行する。
【００４４】
一方、扉スイッチ１１６がオンしているものと判別した場合（Ｓ２１２：ＹＥＳ）、タイマ１１８をクリアし（Ｓ２１８）、リモコン１４に対して店主用の操作を可能とする信号を出力する。これにより、リモコンは、表示画面に、店主が操作する際の待機画面を表示することとなる（Ｓ２２０）。以後、制御部１０４では、リモコン１４からの操作入力を割り込み信号をとして受信し、当該割り込み信号に応じた処理を実行することとなる。尚、制御部１０４は、リモコン１４からの入力を受信したとき、ＲＯＭ１０６のプログラムデータの解読結果に従って、ＲＡＭ１０８における店主管理項目のテーブルデータのみを参照することとなる。
【００４５】
制御部１０４は、リモコン１４の「売上」「設定」「点検」などの管理項目確認用の何れかのキーが操作されたかどうかを判別する（Ｓ２２２）。例えば、リモコン１４上の「売上」キーの１回目の操作がされたことを示す信号が制御部１０４によって受信されると（Ｓ２２２：ＹＥＳ）、制御部１０４は、ＲＡＭ１０８内に記憶されている店主管理項目のテーブルデータを参照し、売上表示順１（１回目の「売上」キーの操作を示す）に対応する「売上３」の項目を選択する（Ｓ２２４）。そして、制御部１０４は、「売上３」に対応するＲＯＭ１０６のプログラムデータを読み出し、このプログラムデータの解読結果に従って、「トータル売上」をリモコン１４の表示画面に表示させるための処理を実行する（Ｓ２２６）。具体的には、「売上３」に対応するＲＯＭ１０６のプログラムデータが解読されると、ＲＡＭ１０８内で図５のテーブルデータとは別の記憶領域（第３メモリ）に書き込まれている実際の「トータル売上」（自動販売機の全売上金額）の情報を読み出し、この情報をリモコン１４に送信する。これにより、リモコン１４には、自動販売機の全売上金額が表示されることとなる。その後、上記のステップＳ２２２に戻り、リモコン１４の何れかのキーが操作されたことを判別する待機状態となる。
【００４６】
例えば、リモコン１４上の「売上」キーの２回目の操作がされたことを示す信号が制御部１０４によって受信されると（Ｓ２２２：ＹＥＳ）、制御部１０４は、ＲＡＭ１０８内に記憶されている店主管理項目のテーブルデータを参照し、売上表示順２（２回目の「売上」キーの操作を示す）に対応する「売上４」の項目を選択する（Ｓ２２４）。そして、制御部１０４は、「売上４」に対応するＲＯＭ１０６のプログラムデータを読み出し、このプログラムデータの解読結果に従って、「コラム別売上」をリモコン１４の表示画面に表示させるための処理を実行する（Ｓ２２６）。具体的には、「売上４」に対応するＲＯＭ１０６のプログラムデータが解読されると、ＲＡＭ１０８内で図５のテーブルデータとは別の記憶領域（第３メモリ）に書き込まれている実際の「コラム別売上」（自動販売機のコラム別売上金額）の情報を読み出し、この情報をリモコン１４に送信する。これにより、リモコン１４には、自動販売機のコラム別売上金額が表示されることとなる。その後、上記のステップＳ２２２に戻り、リモコン１４の何れかのキーが操作されたことを判別する待機状態となる。尚、リモコン１４上の「設定」キー、「点検」キーを操作した場合でも、「売上」キーを操作した場合と同様に、店主にとって有意義となる設定に関する情報や点検に関する情報を、リモコン１４の表示画面に表示させることが可能となる。
【００４７】
制御部１０４は、管理項目確認用のキーが操作されていないものと判別した場合（Ｓ２２２：ＮＯ）、更に、リモコン１４上の「終了」キーが操作されたかどうかを判別する（Ｓ２２８）。制御部１０４は、「終了」キーが操作されたことを示す信号を受信すると（Ｓ２２８：ＹＥＳ）、上記のステップＳ２２０以降を再度実行する。一方、制御部１０４は、「終了」キーが操作されたことを示す信号を受信していない場合（Ｓ２２８：ＮＯ）、更に、開閉扉２が閉塞されたかどうか、つまり、扉スイッチ１１６がオフしたかどうかを判別する（Ｓ２３０）。制御部１０４は、扉スイッチ１１６がオンした状態のままである場合（Ｓ２３０：ＮＯ）、上記のステップＳ２２０以降を再度実行する。制御部１０４は、扉スイッチ１１６がオフしたことを示す信号を受信した場合（Ｓ２３０：ＹＥＳ）、開閉扉２が閉塞されているため、リモコン１４の表示画面における表示をＯＦＦするための信号をリモコン１４に送信する。これにより、リモコン１４の表示画面上の表示はＯＦＦする（Ｓ２３２）。そして、ステップＳ２００の待機状態に戻る。
【００４８】
以上の説明は、店主用の「管理カード」の場合の説明であったが、販売商品メーカー用または自動販売機メーカー用の「管理カード」であることをカード情報識別部１１４が識別した場合でも、同様に、販売商品メーカーまたは自動販売機メーカーにそれぞれ必要な管理項目のみをリモコン１４に設定することが可能となる。換言すれば、リモコン１４を、非接触カード１０２に記憶された識別情報（管理コード）に対応する管理項目（管理機能）の実行のみを指示入力可能な状態に設定できることとなる。これにより、店主、販売商品メーカー、自動販売機メーカーは、非接触カード１０２を使用することによって、リモコン１４を操作するとき、それぞれが必要とする管理項目のみがリモコン１４に設定され、リモコン１４の操作の簡略化、悪質な操作や誤操作の防止などが可能となって、迅速且つ確実な操作を実現することができる。
【００４９】
本実施の形態では、成人用商品を販売する自動販売機に使用する成人識別用の非接触カード１０２を、店主、販売商品メーカー、自動販売機メーカーなどの管理者にも利用できるようにしたため、非接触カード１０２の利用効率が向上する。
【００５０】
尚、ＲＡＭ１０８に記憶されている図５のテーブルデータの内容を、リモコン１４の操作によって変更することも可能である。例えば、リモコン１４に設けられているキーを選択的に操作して暗号化されたキー入力をすることによって、このときのリモコン１４からの暗号化された信号を制御部１０４が受信することによって、図５のテーブルデータの内容を変更することが可能となる。例えば、店主用の管理項目に示されている売上表示順１、２を売上表示順２、１に変更したり、売上表示順１、２に売上表示順３として「売上２」を追加したりと、表示順や表示種類の数を変更することが可能となる。これにより、店主、販売商品メーカー、自動販売機メーカーごとの管理項目を設定しつつも、店主、販売商品メーカー、自動販売機メーカーごとの管理項目内容を見直して必要に応じて変更することができるため、漏れのない管理を実現することが可能となる。
【００５１】
前述した発明の実施の形態は、本発明の理解を容易にするためのものであり、本発明を限定して解釈するためのものではない。本発明は、その趣旨を逸脱することなく変更、改良され得るとともに、本発明にはその等価物も含まれる。
【図面の簡単な説明】
【００５２】
【図１】本発明にかかる自動販売機の前面構成例を示す正面図である。
【図２】本発明にかかる自動販売機に使用される記憶媒体の記憶構成例を示す図である。
【図３】本発明にかかる自動販売機の制御構成を示すブロック図である。
【図４】複数の管理機能を実行するためのプログラムが記憶された第１メモリを示す図である。
【図５】複数の管理コードごとに前記複数の管理機能の情報が対応付けられて記憶された第２メモリを示す図である。
【図６】リモコンの表示画面に表示される管理項目の種類と順番の一例を示す図である。
【図７】リモコンの一構成例を示す図である。
【図８】本発明の自動販売機におけるリモコンの管理項目設定動作を示すフローチャートである。
【符号の説明】
【００５３】
１４  リモコン
１０２  非接触カード
１０４  制御部
１０６  ＲＯＭ
１０８  ＲＡＭ
１１４  カード情報識別部
１１６  扉スイッチ
１１８  タイマ
【図１】
2005284586.tif 000003
【図２】
2005284586.tif 000004
【図３】
2005284586.tif 000005
【図４】
2005284586.tif 000006
【図５】
2005284586.tif 000007
【図６】
2005284586.tif 000008
【図７】
2005284586.tif 000009
【図８】
2005284586.tif 000010